(57)【要約】【課題】流路内に気泡が発生した場合であっても液体吐出ヘッドに液体を確実に供給することを可能にし、軽回復や回復レスを採用した構成でも、良好な記録特性を維持する。【解決手段】インク流路１６のインクジェット記録ヘッド１２側に設けられたスリット状をなす開口部１８と、インク導入部１５に設けられインク吸収体１３に当接されるフィルタ１７と、インク導入部１５の内壁からフィルタ１７の略中央近傍まで延在されフィルタ１７を支持するリブ２０ａ，２０ｂとを備える。【選択図】  図３
2004291442.tif 000002
【特許請求の範囲】
【請求項１】
液体を吐出するための液体吐出ヘッドと、前記液体を保持するための液体吸収体と、前記液体吸収体から前記液体吐出ヘッドに前記液体を供給するための流路を有する液体導入部とを備える液体吐出ヘッドカートリッジであって、
前記流路の前記液体吐出ヘッド側に設けられたスリット状をなす開口部と、
前記液体導入部に設けられ前記液体吸収体に当接されるフィルタと、
前記液体導入部の内壁から前記フィルタの略中央近傍まで延在され前記フィルタを支持するリブとを備えることを特徴とする液体吐出ヘッドカートリッジ。
【発明の詳細な説明】
【０００１】
【発明の属する技術分野】
本発明は、例えば、記録用紙等にインク等を吐出して文字や画像等を記録するための液体吐出ヘッドカートリッジに関する。
【０００２】
【従来の技術】
従来のインクジェット記録カートリッジ、特にインクジェット記録ヘッドのインク導入部の形状として、インクジェット記録装置の記録速度の向上を図るためのインクジェット記録ヘッドの構成が開示されている（例えば、特許文献１参照。）。
【０００３】
この種のインクジェット記録ヘッドでは、供給されるインクの流量が大きくなるため、インクジェット記録ヘッドへのインク供給性を安定させるために、フィルタと、このフィルタに当接される圧接体との当接状態を良好に保つ構成が採られている。
【０００４】
上述した従来のインクジェットヘッドについて、図９を参照して説明する。
【０００５】
図９（ａ）に、インクジェット記録カートリッジのインク導入部の平面図を示す。また、図９（ｂ）、図９（ｃ）、および図９（ｄ）に、インクジェット記録カートリッジのインク導入部の断面図を示す。
【０００６】
筒状のインク導入部１１１は、内部に、インクジェット記録ヘッド（不図示）にインクを供給するためのインク流路１１２を有しており、このインク流路１１２の一端側にフィルタ１１３が固定されている。インク導入部１１１には、インク流路１１２の一端部に、フィルタ１１３を支持する複数の支柱１１６がそれぞれ立設されており、フィルタ１１３がインク流路１１２側に撓むことが防止されている。
【０００７】
フィルタ１１３単体は、中央部に、曲面を有する凸部が設けられており、外周部が平坦に形成されている。フィルタ１１３は、図９（ｂ）に示すように、インク流路１１２の一端部に載置された後、この一端部の外周部に設けられた支柱１１６に熱溶着によって接合されて、固定されている。
【０００８】
図９（ｃ）および図９（ｄ）に示すように、熱溶着されたフィルタ１１３の中央部の凸部をプレス加工して、ＰＰ（ポリプロピレン）繊維束からなる圧接体１１７との当接面を平坦に形成することで、フィルタ１１３単体では成形することが困難な形状を得ることができ、圧接体１１７の表面硬度に因らずに良好な当接状態を確保できる。
【０００９】
【特許文献１】
特開２００２−１３７４１０号公報（第４欄８行−２６行、図１）
【００１０】
【発明が解決しようとする課題】
インクジェット記録装置では、近年コンパクト化や低価格化が進んでおり、装置構成部品のコンパクト化や製造コストの削減が重要な課題になっている。
【００１１】
コンパクト化に対応するためには、回復処理によって除去されるインク量の低減を図り（軽回復）、除去されたインクを収容するためのスペースを削減することが有効である。また、製造コストの削減に対応するためには、さらに回復手段そのものを排除すること、すなわち回復レスが有効である。
【００１２】
回復処理とは、インクジェット記録ヘッドのオリフィスが目詰まりを起こす場合や、インクジェット記録カートリッジのインク流路内へ気泡が進入・成長し、気泡によってインクの流動が止められてインク供給が不可能になる場合等を回避するために行われる。特に、インク流路内の気泡を除去するためには、インク流路内の全てのインクを除去する必要がある。
【００１３】
上述したような軽回復・回復レスを達成するためには、インクジェット記録カートリッジのインク流路内に気泡が存在する場合であっても、悪影響がなく良好なインクの吐出動作が確保されることが必要である。
【００１４】
上述した従来のインクジェット記録カートリッジ（例えば、特許文献１参照。）では、インク流路内のインクと気泡を全て除去する通常の回復処理を行うことで、問題無く記録を行うことが可能である。しかしながら、この従来のインクジェット記録ヘッドは、オリフィスの目詰まりのみの軽易な回復処理を行う軽回復や、全く回復処理を行わない回復レスを採用した場合に、インク流路内の気泡の除去が行われないため、その気泡がインクの流動を遮断し、良好な記録が得られなくなってしまうという問題が発生する。
【００１５】
また、気泡によってインクの流動が遮断されることを防止するためには、インク流路の容積の拡大や、インク流路内のインクの流動方向に対して垂直方向の断面積を拡大することが必要になる。しかし、インクジェット記録カートリッジのインク流路（液体導入路）の断面の径を単に拡大した場合には、フィルタを支持するための支柱を設ける位置が制限され、フィルタの厚み方向の変形（凹み）を防止する効果が得られなくなるという不都合がある。
【００１６】
そこで、本発明は、流路内に気泡が発生した場合であっても液体吐出ヘッドに液体を確実に供給することを可能にし、上述した軽回復や回復レスを採用した構成でも、良好な記録特性を保つことができる液体吐出ヘッドカートリッジを提供することを目的とする。
【００１７】
【課題を解決するための手段】
上述した目的を達成するため、本発明は、以下の種々の態様を包含する。
【００１８】
（１）  本発明に係る液体吐出ヘッドカートリッジは、液体を吐出するための液体吐出ヘッドと、液体を保持するための液体吸収体と、液体吸収体から液体吐出ヘッドに液体を供給するための流路を有する液体導入部とを備える。また、この液体吐出ヘッドカートリッジは、流路の液体吐出ヘッド側に設けられたスリット状をなす開口部と、液体導入部に設けられ液体吸収体に当接されるフィルタと、液体導入部の内壁からフィルタの略中央近傍まで延在されフィルタを支持するリブとを備える。
【００１９】
以上のように構成された本発明に係る液体吐出ヘッドカートリッジによれば、液体導入部の内壁からフィルタの略中央近傍まで延在されたリブによってフィルタが支持されるため、流路側にフィルタが変形することが防止される。また、液体導入部は、流路内にリブが設けられたことで、流路内に発生した気泡によって液体の供給が停止されることが防止される。さらに、液体導入部は、流路内の主流の他に、液体導入部の内壁とリブの側面とがなす隅部に沿って、流路内の主流よりも毛管力が大きな液体の他の流れが発生する。このため、他の流れによって、流路内に気泡が発生した場合であっても、液体が確実に液体吐出ヘッドに供給されて、液体供給の安定性が確保される。
【００２０】
（２）  リブは、開口部まで延在されている（１）に記載の液体吐出ヘッドカートリッジ。
【００２１】
（３）  液体導入部には、リブが複数設けられている（１）または（２）に記載の液体吐出ヘッドカートリッジ。
【００２２】
（４）  リブは、開口部の長辺方向に対して略平行な方向に沿って延在されている（１）ないし（３）のいずれかに記載の液体吐出ヘッドカートリッジ。
【００２３】
（５）  リブの本数は、２本である（１）ないし（４）のいずれかに記載の液体吐出ヘッドカートリッジ。
【００２４】
（６）  液体導入部には、開口部を間に挟んで対向する位置に一対のリブがそれぞれ設けられ、
一対のリブには、リブの対向間隔をフィルタ側から開口部側に向かって次第に小さくする傾斜面が形成されている（１）ないし（５）のいずれかに記載の液体吐出ヘッドカートリッジ。
【００２５】
（７）  液体導入部には、複数のリブが、開口部の長辺方向の略中央から放射状にそれぞれ延在されている（１）ないし（５）のいずれかに記載の液体吐出ヘッドカートリッジ。複数のリブが放射状に設けられることによって、液体導入部には、液体導入部の内壁とリブの側面とがなす隅部に沿って発生する他の流れとともに、液体導入部の内壁と開口部近傍の底面とに沿って、流路内の主流よりも毛管力が大きな更に他の流れが発生する。したがって、これらの他の流れによって、流路内に気泡が発生した場合であっても、液体吐出ヘッドに液体が更に確実に供給される。
【００２６】
（８）  （１）ないし（７の）いずれかに記載の液体吐出ヘッドカートリッジを用いて、記録媒体にインクを吐出して記録する記録方法。
【００２７】
（９）  液体を吐出するための液体吐出ヘッドと、液体を保持するための液体吸収体と、液体吸収体から液体吐出ヘッドに液体を供給するための流路を有する液体導入部とを備える液体吐出ヘッドカートリッジが搭載された記録装置であって、
流路の前記液体吐出ヘッド側に設けられたスリット状をなす開口部と、
液体導入部に設けられ液体吸収体に当接されるフィルタと、
液体導入部の内壁からフィルタの略中央近傍まで延在されフィルタを支持する複数のリブとを備え、
リブは、開口部の長辺方向に対して略平行な方向に沿って延在されている記録装置。
【００２８】
【発明の実施の形態】
以下、本発明に係る具体的な実施形態について、図面を参照して説明する。
【００２９】
（第１の実施形態）
図１は、第１の実施形態のインクジェット記録カートリッジを模式的に示す斜視図である。図２は、インクジェット記録カートリッジのインク導入部を説明するための図であって、図２（ａ）が、インク導入部をインク導入方向であるフィルタ側から開口部側に向かって見た平面図であり、図２（ｂ）がインク導入部を示すＡ−Ａ断面図である。
【００３０】
図１に示すように、インクジェット記録カートリッジ１１は、インクを吐出するためのインクジェット記録ヘッド１２（以下、単に記録ヘッド１２と称する。）と、この記録ヘッド１２に供給するインクを保持するためのインク吸収体１３とを備えている。また、このインクジェット記録カートリッジ１１の内部には、記録ヘッド１２とインク吸収体１３との間に位置して、インクを保持するインク吸収体１３からインク流路１６を通じて記録ヘッド１２にインクを供給するためのインク導入部１５が設けられている。
【００３１】
図２（ａ）および図２（ｂ）に示すように、インク導入部１５は、円筒状をなしており、内径φ＝１２ｍｍに形成されている。インク導入部１５には、インク吸収体１３側の一端に、インク中の異物を取り除くためのフィルタ１７が、インク吸収体１３に当接されて設けられている。
【００３２】
また、インク導入部１５には、記録ヘッド１２側の他端に、記録ヘッド１２のノズル列（不図示）を囲むように、開口寸法が幅Ｗ＝１ｍｍ，長さＬ＝１２ｍｍのスリット状をなす開口部１８が設けられている。
【００３３】
そして、このインク導入部１５には、図２（ａ）に示すように、内壁面からフィルタ１７の略中央に向かって２本のリブ２０ａ，２０ｂが、開口部１８の長辺方向にほぼ直交されてそれぞれ延在されている。これらリブ２０ａ，２０ｂは、略平板状に形成されており、開口部１８を間に挟んで対向する位置にそれぞれ設けられている。
【００３４】
また、リブ２０ａ，２０ｂは、図２（ｂ）に示すように、一端がフィルタ１７に当接され、他端が開口部１８まで延在されている。さらに、リブ２０ａ，２０ｂには、開口部１８を挟んだ対向間隔をフィルタ１７側から開口部１８側に向かって次第に小さくする傾斜面２１がそれぞれ形成されている。
【００３５】
フィルタ１７は、リブ２０ａ，２０ｂに支持されることで変形することが防止されるため、インク吸収体１３との当接状態を良好に維持することが可能になる。さらに、リブ２０ａ，２０ｂによれば、インク流路１６内に進入、発生する気泡（不図示）が成長し、インク流路１６内の大半を占めた場合であっても、気泡によってインクの流動が止められることが防止され、記録ヘッド１２へのインク供給状態を良好に維持することが可能になる。
【００３６】
また、インク導入部１５の内壁面とリブ２０ａ，２０ｂの側面とによって形成される隅部には、インク流路１６内のインクの主流よりも毛管力が大きいため、インク吸収体１３側からインクを引く力が比較的大きな第２のインクの流れ２３（便宜上、第２のインク流路２３と称する。）がこの隅部に沿って発生する。
【００３７】
したがって、この第２のインク流路２３によれば、インク流路１６内に進入、発生する気泡（不図示）が成長し、主流であるインク流路１６内の大半を占めた場合においても、図３（ａ）および図３（ｂ）中に破線で示す矢印のように、各リブ２０ａ，２０ｂの側面に沿って流動する副流である第２のインク流路２３によってインクの供給が行われ、記録ヘッド１２へのインク供給状態を良好に維持することができる。
【００３８】
本実施形態では、スリット状の開口部１８の開口寸法が幅Ｗ＝１ｍｍ，長さＬ＝１２ｍｍ、インク導入部２０４が、内径φ＝１２ｍｍに形成された構成を採用したが、インクジェット記録カートリッジ、インク収容部、記録ヘッド等のサイズに適応させ、インク供給状態を良好に維持することが可能な範囲で各寸法を適宜選択可能である。
【００３９】
上述したように、インクジェット記録カートリッジ１１によれば、インク導入部１５の内壁からフィルタ１７の略中央近傍まで延在されたリブ２０ａ，２０ｂによってフィルタ１７が支持されるため、インク流路１６側にフィルタ１７が変形することが防止できる。また、インク導入部１５は、インク流路１６内にリブ２０ａ，２０ｂが設けられたことで、インク流路１６内に発生した気泡によってインクの供給が停止されることが防止できる。さらに、インク導入部１５は、インク流路１６内の主流の他に、インク導入部１５の内壁とリブ２０ａ，２０ｂの側面とがなす隅部に沿って、インク流路１６内の主流よりも毛管力が大きな第２のインク流路２３が発生するため、インク流路１６内に気泡が発生した場合であっても、インクが確実に記録ヘッド１２に供給されて、インク供給の安定性を確保できる。
【００４０】
したがって、インクジェット記録カートリッジ１１によれば、フィルタ１７の変形の防止、インク流路１６内の気泡によるインク供給の停止の防止、インク供給の安定性の確保をそれぞれ並立させて達成することができる。
【００４１】
（第２の実施形態）
図４は、他の実施形態のインクジェット記録カートリッジを備える記録装置の要部を模式的に示す斜視図である。なお、本実施形態のインクジェット記録カートリッジは、上述した第１の実施形態のインクジェット記録カートリッジ１１と基本構成が同一であるため、便宜上、同一部材には同一符号を付して説明を省略する。
【００４２】
図４に示すように、インクジェット記録装置１が備えるキャリッジ５には、例えば種類が異なる２つのインクジェット記録カートリッジ３１がそれぞれ搭載されている。インクジェット記録カートリッジ３１としては、例えば、ブラックインクを搭載したブラックカートリッジ３１ａと、イエロー、マジェンタ、シアン等のカラーインクを搭載したカラーカートリッジ３１ｂとの２種類のインクジェット記録カートリッジ３１が組み合わされて用いられている。
【００４３】
キャリッジ５は、図４中Ｙ方向に往復動作可能に設けられており、Ｙ方向の一端側に、記録ヘッドに対向して設けられた回復ユニット７によって、インクジェット記録カートリッジ３１のインクジェット記録ヘッド１２の回復処理を行う。
【００４４】
図５は、インクジェット記録カートリッジ３１のインク導入部を説明するための図であって、図５（ａ）が、インク導入方向であるフィルタ側から開口部側に向かって見た平面図、図５（ｂ）が、図５（ａ）におけるＢ−Ｂ断面図である。
【００４５】
図５（ａ）および図５（ｂ）に示すように、このインクジェット記録カートリッジ３１の内部には、記録ヘッド１２とインク吸収体１３との間に位置して、インクを保持するインク吸収体１３からインク流路３６を通じて記録ヘッド１２にインクを供給するためのインク導入部３５が設けられている。
【００４６】
インク導入部３５は、円筒状をなしており、内径φ＝１２ｍｍに形成されている。インク導入部３５には、インク吸収体１３側の一端に、インク中の異物を取り除くためのフィルタ１７が、インク吸収体１３に当接されて設けられている。
【００４７】
また、インク導入部３５には、記録ヘッド１２側の他端に、記録ヘッド１２のノズル列（不図示）を囲むように、開口寸法が幅Ｗ＝１ｍｍ，長さＬ＝１２ｍｍのスリット状をなす開口部１８が設けられている。
【００４８】
そして、このインク導入部３５には、図５（ａ）に示すように、内壁面からフィルタ１７の略中央に向かって２本のリブ３８ａ，３８ｂが、開口部１８を間に挟んで、開口部１８の対向する各長辺に沿ってそれぞれ延在されている。これらリブ３８ａ，３８ｂは、略平板状に形成されており、開口部１８の長辺方向と平行に、開口部１８の略中央近傍まで延在されて、開口部１８を間に挟んで対称な位置にそれぞれ設けられている。
【００４９】
また、リブ３８ａ，３８ｂは、図５（ｂ）に示すように、一端がフィルタ１７に当接され、他端が開口部１８まで延在されている。
【００５０】
フィルタ１７は、リブ３８ａ，３８ｂに支持されることで変形することが防止されるため、インク吸収体１３との当接状態を良好に維持することが可能になる。さらに、リブ３８ａ，３８ｂによれば、インク流路３６内に進入、発生する気泡（不図示）が成長し、インク流路３６内の大半を占めた場合であっても、気泡によってインクの流動が止まることが防止され、記録ヘッド１２へのインク供給状態を良好に維持することができる。
【００５１】
インク導入部３５の内壁面とリブ３８ａ，３８ｂの側面とによって形成される隅部には、インク流路３６のインクの主流よりも毛管力が大きいため、インク吸収体１３からインクを引く力が比較的大きな第２のインク流路３９がこの隅部に沿って発生する。
【００５２】
したがって、この第２のインク流路３９によれば、インク流路３６内に進入、発生する気泡（不図示）が成長し、インク流路３６内の大半を占めた場合であっても、図６（ａ）および図６（ｂ）中に破線で示す矢印のように、第２のインク流路３９によってインクの供給が行われ、インク吸収体１３側から記録ヘッド１２へのインク供給状態を良好に維持することが可能になる。
【００５３】
インクジェット記録カートリッジ３１は、記録ヘッド１２のノズル列（不図示）が図４中Ｘ方向に平行にされた向きで、インクジェット記録装置１に搭載される。図５（ａ）に示すように、開口部１８の長辺とノズル列が平行であるため、キャリッジ５は、図４中Ｙ方向に走査される。
【００５４】
リブ３８ａ，３８ｂは、キャリッジ５の走査方向と直交する方向に延在されているため、インク流路３８内のインク（不図示）が揺すられて遊動することが抑制される。その結果、インクジェット記録カートリッジ３１は、リブ３８ａ，３８ｂによって、記録時のインク吐出動作に対する悪影響が抑制され、インクを安定して吐出することができる。
【００５５】
本実施形態では、スリット状の開口部１８の開口寸法が、幅Ｗ＝１ｍｍ，長さＬ＝１２ｍｍに形成され、インク導入部３５が、内径φ＝１２ｍｍに形成された構成を採用したが、インクジェット記録カートリッジ、インク収容部、記録ヘッド等のサイズに適応させ、インク供給状態を良好に維持することが可能な範囲で各寸法を適宜選択可能である。
【００５６】
上述したように、インクジェット記録カートリッジを備えるインクジェット記録装置１によれば、インク流路内に気泡が発生した場合であっても良好にインクが供給されて吐出特性が損なわれないため、回復量を低減すること、あるいは回復ユニットを排除した構成（回復レス）も可能になる。したがって、廃棄するインク量の削減、およびインクジェット記録装置全体のコンパクト化が図られ、ユーザが使用可能なインク量の増加、回復ユニットの排除によって、製造コストを低減することができる。
【００５７】
（第３の実施形態）
図７は、さらに他の実施形態のインクジェット記録カートリッジのインク導入部を説明するための平面図であって、図７（ａ）が、インク導入方向であるフィルタ側から開口部側に向かって見た平面図、図７（ｂ）が、図７（ａ）におけるＣ−Ｃ断面図である。なお、本実施形態のインクジェット記録カートリッジは、上述した第１の実施形態のインクジェット記録カートリッジ１１と基本構成が同一であるため、便宜上、同一部材には同一符号を付して説明を省略する。
【００５８】
図７（ａ）および図７（ｂ）に示すように、このインクジェット記録カートリッジの内部には、記録ヘッド１２とインク吸収体１３との間に位置して、インクを保持するインク吸収体１３からインク流路４６を通じて記録ヘッド１２にインクを供給するためのインク導入部４５が設けられている。
【００５９】
インク導入部４５は、四角形をなす筒状に形成されている。インク導入部４５には、インク吸収体１３側の一端に、インク中の異物を取り除くためのフィルタ１７が、インク吸収体１３に当接されて設けられている。
【００６０】
また、インク導入部４５には、記録ヘッド１２側の他端に、記録ヘッド１２のノズル列（不図示）を囲むように、スリット状をなす開口部１８が設けられている。
【００６１】
そして、このインク導入部４５には、図７（ａ）に示すように、内壁面からフィルタ１７の略中央に向かって４本のリブ４８ａ，４８ｂ，４８ｃ，４８ｄがそれぞれ延在されている。これらリブ４８ａ，４８ｂ，４８ｃ，４８ｄは、略平板状に形成されており、開口部１８の略中央近傍まで延在されて、開口部１８を間に挟んで対称な位置にそれぞれ設けられている。換言すれば、４本のリブ４８ａ，４８ｂ，４８ｃ，４８ｄは、開口部１８の中央近傍から放射状にそれぞれ延在されている。
【００６２】
また、リブ４８ａ，４８ｂ，４８ｃ，４８ｄは、図７（ｂ）に示すように、一端がフィルタ１７に当接され、他端が開口部１８まで延在されている。
【００６３】
フィルタ１７は、リブ４８ａ，４８ｂ，４８ｃ，４８ｄによって支持されることで変形が防止されるため、インク吸収体１３との当接状態を良好に維持することが可能になる。さらに、リブ４８ａ，４８ｂ，４８ｃ，４８ｄによれば、インク流路４６内に進入、発生する気泡（不図示）が成長し、インク流路４６内の大半を占めた場合であっても、気泡によってインクの供給が止まることが防止され、インク吸収体１３から記録ヘッド１２へのインク供給状態を良好に維持することが可能になる。
【００６４】
インク導入部４５の内壁面と各リブ４８ａ，４８ｂ，４８ｃ，４８ｄの側面とによって形成される隅部には、主流であるインク流路４６よりも毛管力が大きいため、図８（ａ）および図８（ｂ）に示すように、インク吸収体１３からインクを引く力が比較的大きな第２のインク流路４９ａがこの隅部に沿って発生する。また同様に、インク導入部４５内の底面と内壁とによって形成される隅部にも、主流であるインク流路４６よりも毛管力が大きな第２のインク流路４９ｂがこの隅部に沿って発生する。
【００６５】
したがって、これら第２のインク流路４９ａ，４９ｂによれば、インク流路４６内に進入、発生する気泡（不図示）が成長し、インク流路４６内の大半を占めた場合であっても、図８（ａ）および図８（ｂ）中に破線で示す矢印のように、第２のインク流路４９ａ，４９ｂによってインクがバランス良く開口部１８を介して供給され、記録ヘッド１２へのインク供給状態を良好に維持することが可能になる。
【００６６】
本実施形態では、四角形をなす筒状のインク導入部４５内に４本のリブ４８ａ，４８ｂ，４８ｃ，４８ｄがそれぞれ設けられる構成を採用したが、例えば、インク導入部の外形が大きい場合には、リブの本数を増やすことで、フィルタの変形防止やインク供給性の安定を図るなど、インクジェット記録カートリッジ、インク収容部、記録ヘッド等のサイズに適応させ、インク供給状態を良好に維持することが可能な範囲であれば、必要に応じてリブの本数やインク導入部の形状を適宜選択可能である。
【００６７】
また、上述した第１の実施形態から第３の実施形態の各インクジェット記録カートリッジが備えるインク導入部に採用された開口部の形状は、現在の高記録速度化・高画質化に必要とされる長ノズル列に対応させるために、スリット状に選択されている。
【００６８】
なお、本発明は、記録ヘッドと、インクを収容するインクタンクとが一体に構成されたインクジェット記録カートリッジに適用されたが、インクを収容するインクタンク単体に適用されてもよいことは勿論である。
【００６９】
【発明の効果】
上述したように、本発明によれば、スリット状をなす開口部と、液体導入部の内壁からフィルタの略中央近傍まで延在されたリブとを備えることによって、フィルタの変形の防止、流路内の気泡による液体の供給停止の防止、液体供給の安定性の確保をそれぞれ並立させて達成することができる。
【図面の簡単な説明】
【図１】本発明に係る第１の実施形態のインクジェット記録カートリッジを説明するための斜視図である。
【図２】前記インクジェット記録カートリッジが備えるインク導入部を説明するための図であり、（ａ）がインク導入部を示す平面図、（ｂ）がインク導入部を示すＡ−Ａ断面図である。
【図３】前記インク導入部内の第２のインク流路を説明するための図であり、（ａ）がインク導入部を示す平面図、（ｂ）がインク導入部を示すＡ−Ａ断面図である。
【図４】本発明に係る第２の実施形態のインクジェット記録カートリッジを備えるインクジェット記録装置の要部を説明するための斜視図である。
【図５】前記インクジェット記録カートリッジが備えるインク導入部を説明するための図であり、（ａ）がインク導入部を示す平面図、（ｂ）がインク導入部を示すＢ−Ｂ断面図である。
【図６】前記インク導入部内の第２のインク流路を説明するための図であり、（ａ）がインク導入部を示す平面図、（ｂ）がインク導入部を示すＢ−Ｂ断面図である。
【図７】本発明に係る第３の実施形態のインクジェット記録カートリッジが備えるインク導入部を説明するための図であり、（ａ）がインク導入部を示す平面図、（ｂ）がインク導入部を示すＣ−Ｃ断面図である。
【図８】前記インク導入部内の第２のインク流路を説明するための図であり、（ａ）がインク導入部を示す平面図、（ｂ）がインク導入部を示すＣ−Ｃ断面図である。
【図９】従来のインクジェット記録カートリッジが備えるインク導入部を説明するための図であり、（ａ）がインク導入部を示す平面図、（ｂ）がインク導入部にフィルタを載置した状態を示すＤ−Ｄ断面図、（ｃ）がインク導入部にフィルタを接合した状態を示すＤ−Ｄ断面図、（ｄ）がフィルタに圧接体が当接された状態を示すＤ−Ｄ断面図である。
【符号の説明】
１  インクジェット記録装置
５  キャリッジ
７  回復ユニット
１１  インクジェット記録カートリッジ
１２  インクジェット記録ヘッド
１３  インク吸収体
１５  インク導入部
１７  フィルタ
１８  開口部
１６  インク流路
２０ａ，２０ｂ  リブ
２１  傾斜面
２３  第２のインク流路
３１（３１ａ，３１ｂ）  インクジェット記録カートリッジ
３５  インク導入部
３６  インク流路
３８ａ，３８ｂ  リブ
３９  第２のインク流路
４５  インク導入部
４６  インク流路
４８ａ，４８ｂ，４８ｃ，４８ｄ  リブ
４９ａ，４９ｂ  第２のインク流路
１１１  インク導入部
１１２  インク流路
１１３  フィルタ
１１６  支柱
１１７  圧接体
【図１】
2004291442.tif 000003
【図２】
2004291442.tif 000004
【図３】
2004291442.tif 000005
【図４】
2004291442.tif 000006
【図５】
2004291442.tif 000007
【図６】
2004291442.tif 000008
【図７】
2004291442.tif 000009
【図８】
2004291442.tif 000010
【図９】
2004291442.tif 000011